(57)【特許請求の範囲】
【請求項１】
貫通孔を有するケースと、
前記ケースの前記貫通孔にその内外に突出した状態で挿入された操作部材と、
前記ケースの外面と内面との少なくとも一方に配置され、前記操作部材が摺動可能に挿入される防水部材と、
前記防水部材を前記ケースに対して押え付ける押え部材と、
を備え、
前記ケースの外面と内面との少なくとも一方には、前記防水部材が装着される筒状突起部が、前記ケースの前記貫通孔に対応した状態で設けられ、前記筒状突起部には、これを覆って前記押え部材が取り付けられ、
前記押え部材は、その内周面に設けられた雌ねじ部が前記筒状突起部の外周に設けられた雄ねじ部に螺合し、前記雄ねじ部に対する前記雌ねじ部の締め付け力によって前記ケースに対する前記防水部材の押え力を調整することを特徴とすることを特徴とするスイッチ装置。
【請求項２】
貫通孔を有するケースと、
前記ケースの前記貫通孔にその内外に突出した状態で挿入された操作部材と、
前記ケースの外面と内面との少なくとも一方に配置され、前記操作部材が摺動可能に挿入される防水部材と、
前記防水部材を前記ケースに対して押え付ける押え部材と、
を備え、
前記防水部材と前記押え部材とは、前記ケースの外面と内面との両方にそれぞれ設けられていることを特徴とするスイッチ装置。
【請求項３】
貫通孔を有するケースと、
前記ケースの前記貫通孔にその内外に突出した状態で挿入された操作部材と、
前記ケースの外面と内面との少なくとも一方に配置され、前記操作部材が摺動可能に挿入される防水部材と、
前記防水部材を前記ケースに対して押え付ける押え部材と、
を備え、
前記防水部材と前記押え部材とは、前記ケースの外面のみに設けられ、
前記ケースの内面側に位置する前記操作部材の外周面と前記貫通孔の内面との間には、内側の防水部材が別に設けられていることを特徴とするスイッチ装置。
【請求項４】
貫通孔を有するケースと、
前記ケースの前記貫通孔にその内外に突出した状態で挿入された操作部材と、
前記ケースの外面と内面との少なくとも一方に配置され、前記操作部材が摺動可能に挿入される防水部材と、
前記防水部材を前記ケースに対して押え付ける押え部材と、
を備え、
前記防水部材と前記押え部材とは、前記ケースの内面のみに設けられ、
前記ケースの外面側に位置する前記操作部材の外周面と前記貫通孔の内面との間には、外側の防水部材が別に設けられていることを特徴とするスイッチ装置。
【請求項５】
貫通孔を有するケースと、
前記ケースの前記貫通孔にその内外に突出した状態で挿入された操作部材と、
前記ケースの端部及び前記ケースの他端側に配置された複数の防水部材と、
前記複数の防水部材は、前記ケースの外面と内面との少なくとも一方に配置され、前記操作部材が摺動可能に挿入され、
前記複数の防水部材のうち、前記ケースの外面と内面との少なくとも一方に配置され、前記操作部材が摺動可能に挿入される少なくとも１つの前記防水部材を前記ケースに対して押え付ける押え部材と、
を備えていることを特徴とするスイッチ装置。
【請求項６】
請求項２〜請求項５のいずれかに記載のスイッチ装置において、前記ケースの外面と内面との少なくとも一方には、前記防水部材が装着される筒状突起部が、前記ケースの前記貫通孔に対応した状態で設けられ、前記筒状突起部には、これを覆って前記押え部材が取り付けられていることを特徴とするスイッチ装置。
【請求項７】
請求項６に記載のスイッチ装置において、前記押え部材は、その内周面に設けられた雌ねじ部が前記筒状突起部の外周に設けられた雄ねじ部に螺合し、前記雄ねじ部に対する前記雌ねじ部の締め付け力によって前記ケースに対する前記防水部材の押え力を調整することを特徴とするスイッチ装置。
【請求項８】
請求項１または請求項５に記載のスイッチ装置において、前記防水部材と前記押え部材とは、前記ケースの外面と内面との両方にそれぞれ設けられていることを特徴とするスイッチ装置。
【請求項９】
請求項１または請求項５に記載のスイッチ装置において、前記防水部材と前記押え部材とは、前記ケースの外面のみに設けられていることを特徴とするスイッチ装置。
【請求項１０】
請求項９に記載のスイッチ装置において、前記ケースの内面側に位置する前記操作部材の外周面と前記貫通孔の内面との間には、内側の防水部材が別に設けられていることを特徴とするスイッチ装置。
【請求項１１】
請求項１または請求項５に記載のスイッチ装置において、前記防水部材と前記押え部材とは、前記ケースの内面のみに設けられていることを特徴とするスイッチ装置。
【請求項１２】
請求項１１に記載のスイッチ装置において、前記ケースの外面側に位置する前記操作部材の外周面と前記貫通孔の内面との間には、外側の防水部材が別に設けられていることを特徴とするスイッチ装置。
【請求項１３】
請求項１〜請求項１２のいずれかに記載されたスイッチ装置を備えていることを特徴とする時計。
【発明の詳細な説明】
【技術分野】
【０００１】
この発明は、腕時計などの時計、または携帯電話機や携帯情報端末機などの各種の電子機器に用いられるスイッチ装置およびそれを備えた時計に関する。
【背景技術】
【０００２】
例えば、腕時計のスイッチ装置においては、特許文献１に記載されているように、腕時計ケースの貫通孔に筒状部材を装着し、この筒状部材に操作部材を腕時計ケースの内部と外部とに突出させた状態でスライド可能に設け、この操作部材の外周面に防水リングを設け、この防水リングを筒状部材の内周面に圧接させた状態で摺動させることにより、防水を図るように構成されたものが知られている。
【先行技術文献】
【特許文献】
【０００３】
【特許文献１】特開２００４−２７１３６１号公報
【０００４】
この種のスイッチ装置は、操作部材の外周面にリング取付溝を設け、このリング取付溝に防水リングを嵌め込み、この状態で操作部材を腕時計ケースの筒状部材内にスライド可能に挿入させることにより、防水リングの外周部を筒状部材の内周面に圧接させ、その圧接力の反力によって防水リングの内周面をリング取付溝内に押し付けて、防水を図るように構成されている。
【発明の概要】
【発明が解決しようとする課題】
【０００５】
しかしながら、このようなスイッチ装置では、操作部材のスライド操作に伴って防水リングが筒状部材の内周面に圧接した状態で摺動する際に、筒状部材の内周面に対する防水リングの摩擦によって防水リングの外周面が摩耗し、この摩耗によって防水リングの圧接力が低下して、防水性の低下を招くため、防水に対する信頼性を長期間に亘って確保することが困難になるという問題がある。
【０００６】
この発明が解決しようとする課題は、長期間に亘って防水性を確保することができるスイッチ装置およびそれを備えた時計を提供することである。
【課題を解決するための手段】
【０００７】
この発明は、貫通孔を有するケースと、このケースの前記貫通孔にその内外に突出した状態で挿入された操作部材と、前記ケースの外面と内面との少なくとも一方に配置され、前記操作部材が摺動可能に挿入される防水部材と、この防水部材を前記ケースに対して押え付ける押え部材と、を備え、前記ケースの外面と内面との少なくとも一方には、前記防水部材が装着される筒状突起部が、前記ケースの前記貫通孔に対応した状態で設けられ、前記筒状突起部には、これを覆って前記押え部材が取り付けられ、前記押え部材は、その内周面に設けられた雌ねじ部が前記筒状突起部の外周に設けられた雄ねじ部に螺合し、前記雄ねじ部に対する前記雌ねじ部の締め付け力によって前記ケースに対する前記防水部材の押え力を調整することを特徴とするスイッチ装置である。
【発明の効果】
【０００８】
この発明によれば、押え部材によって防水部材をケースに対して押え付けて、操作部材に圧接させることができるので、操作部材のスライド操作に伴って防水部材が摩耗しても、その摩耗による防水部材の圧接力の低下を抑えることができる。これにより、防水部材による防水性の低下を防ぐことができるので、長期間に亘って防水性を確保することができる。
【図面の簡単な説明】
【０００９】
【図１】この発明を腕時計に適用した第１実施形態を示した正面図である。
【図２】図１に示された腕時計の要部を示した拡大正面図である。
【図３】図２に示された腕時計のＡ−Ａ矢視における要部を示した拡大断面図である。
【図４】この発明を腕時計に適用した第２実施形態における要部の拡大正面図である。
【図５】図４に示された腕時計のＢ−Ｂ矢視における要部を示した拡大断面図である。
【図６】この発明を腕時計に適用した第３実施形態における要部の拡大正面図である。
【図７】図６に示された腕時計のＣ−Ｃ矢視における要部を示した拡大断面図である。
【発明を実施するための形態】
【００１０】
（第１実施形態）
以下、図１〜図３を参照して、この発明を腕時計に適用した第１実施形態について説明する。
この腕時計は、図１〜図３に示すように、腕時計ケース１を備えている。この腕時計ケース１の１２時側と６時側とには、時計バンド２が取り付けられている。また、この腕時計ケース１の３時側には、スイッチ装置３が設けられている。
【００１１】
この腕時計ケース１は、図３に示すように、硬質の合成樹脂で形成され、その内部に金属製の補強部材１ａが埋め込まれた構成になっている。この腕時計ケース１の上部開口部には、時計ガラス４がパッキン４ａを介して取り付けられている。また、この腕時計ケース１の下部には、裏蓋５がパッキン５ａを介して取り付けられている。
【００１２】
さらに、この腕時計ケース１の内部には、図３に示すように、時計モジュール６が設けられている。この時計モジュール６は、図１および図３に示すように、指針７を運針させて時刻を指示させる時計ムーブメント（図示せず）や、スイッチ接点部８などの時計機能に必要な各種の部品を備えている。
【００１３】
ところで、スイッチ装置３は、図３に示すように、腕時計ケース１の貫通孔１０にスライド可能に取り付けられる操作部材１１と、貫通孔１０に対応する腕時計ケース１の外面と内面とに配置される第１、第２の防水部材１２、１３と、これら第１、第２の防水部材１２、１３を腕時計ケース１に対してそれぞれ押え付ける第１、第２の押え部材１４、１５と、を備えている。
【００１４】
操作部材１１は、図３に示すように、腕時計ケース１の貫通孔１０にスライド可能に挿入されて腕時計ケース１の内部と外部とに突出する軸部１６と、この軸部１６の外端部１６ａに設けられて腕時計ケース１の外部に突出する頭部１７と、軸部１６の内端部１６ｂに取り付けられて腕時計ケース１の内面に接離可能に当接するＥリングなどの抜止め部材１８と、頭部１７を腕時計ケース１の外部に押し出す方向に付勢するコイルばね１９と、を有している。
【００１５】
この場合、軸部１６は、図３に示すように、その外径が腕時計ケース１の貫通孔１０の内径と同じか、それよりも少し小さく形成され、かつ軸方向の長さが貫通孔１０の軸方向の長さよりも長く形成されている。頭部１７は、円筒形のほぼキャップ状に形成され、その外径が軸部１６の外径よりも大きい、例えば軸部１６の外径の３倍程度の大きさに形成され、その内径が軸部１６の外径よりも大きい、例えば軸部１６の外径の２倍程度の大きさに形成されている。
【００１６】
抜止め部材１８は、図３に示すように、腕時計ケース１の内部に突出した軸部１６の内端部１６ｂの外周に設けられた環状の取付溝１６ｃに取り付けられ、腕時計ケース１の内面に配置された後述する第２の押え部材１５に接離可能に当接するように構成されている。これにより、抜止め部材１８は、腕時計ケース１内に位置する第２の押え部材１５に当接することにより、軸部１６が腕時計ケース１の外部に抜け出さないように構成されている。
【００１７】
コイルばね１９は、図３に示すように、軸部１６の外周に配置され、その一端部が頭部１７の内面に弾接し、他端部が腕時計ケース１の外面に配置された後述する第１の押え部材１４に弾接するように構成されている。このため、コイルばね１９は、そのばね力によって頭部１７を軸部１６と共に腕時計ケース１の外部に向けて押し出すように構成されている。
【００１８】
これにより、操作部材１１は、図３に示すように、コイルばね１９のばね力に抗して頭部１７が押されると、軸部１６が貫通孔１０内をスライドして、軸部１６の内端部１６ｂが腕時計ケース１内に突出し、この突出した内端部１６ｂが時計モジュール６のスイッチ接点部８を押圧して、スイッチ動作させるように構成されている。
【００１９】
すなわち、このスイッチ接点部８は、図３に示すように、板ばね部８ａと接点部８ｂとを有している。板ばね部８ａは、軸部１６の内端部１６ｂによって押された際に、弾性変形して接点部８ｂに接離可能に接触することにより、スイッチ動作するように構成されている。
【００２０】
この場合、腕時計ケース１の外面には、図３に示すように、第１の防水部材１２が装着する第１の筒状突起部２０が、腕時計ケース１の貫通孔１０と対応した状態で外部に突出して設けられている。この第１の筒状突起部２０は、その外径が頭部１７の内径と同じか、それよりも少し大きく形成されている。
【００２１】
この第１の筒状突起部２０の外端側に位置する内周部には、図３に示すように、第１の防水部材１２が装着する装着溝２０ａが設けられている。すなわち、この装着溝２０ａは、環状の切欠き凹部であり、腕時計ケース１の外部および貫通孔１０の内部に開放された状態で設けられている。
【００２２】
また、この腕時計ケース１の内面には、図３に示すように、第２の防水部材１３が装着する第２の筒状突起部２１が、腕時計ケース１の貫通孔１０と対応した状態で、腕時計ケース１の内部に突出して設けられている。この第２の筒状突起部２１は、その外径が第１の筒状突起部２０の外径と同じ大きさで形成されている。
【００２３】
この第２の筒状突起部２１の内端側に位置する内周部には、図３に示すように、第２の防水部材１３が装着する装着溝２１ａが設けられている。すなわち、この装着溝２１ａは、第１筒状突起部２０の装着溝２０ａと同様、環状の切欠き凹部であり、腕時計ケース１の内部および貫通孔１０の内部に開放された状態で設けられている。
【００２４】
第１の防水部材１２は、図３に示すように、弾力を有する合成樹脂によってリング状に形成され、第１の筒状突起部２０の装着溝２０ａに装着されるように構成されている。すなわち、この第１の防水部材１２は、その内径が操作部材１１の軸部１６の外径と同じか、それよりも少し小さく形成されている。これにより、第１の防水部材１２は、その内周部が貫通孔１０内に突出して軸部１６の外周面に圧接し、この状態で軸部１６が摺動するように構成されている。
【００２５】
また、この第１の防水部材１２は、図３に示すように、その外径が第１の筒状突起部２０の装着溝２０ａの内周面に圧接し、かつ第１の防水部材１２の軸方向の厚みが第１の筒状突起部２０の装着溝２０ａにおける軸方向の長さよりも少し大きく形成されている。これにより、第１の防水部材１２は、第１の筒状突起部２０の装着溝２０ａに装着された際に、軸方向に位置する外側部が装着溝２０ａから腕時計ケース１の外部に向けて少し突出すように構成されている。
【００２６】
第１の押え部材１４は、図３に示すように、腕時計ケース１の第１の筒状突起部２０にこれを覆って取り付けられ、この状態で第１の防水部材１２を第１の筒状突起部２０の装着溝２０ａ内に押え付けるように構成されている。すなわち、この第１の押え部材１４は、円筒形のほぼキャップ状に形成され、その側面部の中心に軸部１６が挿入する挿入孔１４ａが設けられた構成になっている。
【００２７】
また、この第１の押え部材１４は、図３に示すように、その外径が頭部１７の外径と同じか、それよりも少し大きく形成され、内径が第１の筒状突起部２０の外径と同じ大きさに形成されている。また、この第１の押え部材１４は、その内部における軸方向の長さ（深さ）が第１の筒状突起部２０の軸方向の長さと同じか、それよりも少し短い長さで形成されている。
【００２８】
さらに、この第１の押え部材１４は、図３に示すように、その内周面に雌ねじ部２２が設けられ、この雌ねじ部２２が第１の筒状突起部２０の外周に設けられた雄ねじ部２３に螺合するように構成されている。このため、この第１の押え部材１４は、第１の筒状突起部２０を覆った状態で第１の筒状突起部２０の外周に取り付けられるように構成されている。
【００２９】
これにより、第１の押え部材１４は、図３に示すように、第１の防水部材１２が第１の筒状突起部２０の装着溝２０ａに装着された状態で、第１の筒状突起部２０に取り付けられた際に、第１の押え部材１４の締め付け力、つまり雄ねじ部２３に対する雌ねじ部２２の締め付け力に応じて、第１の防水部材１２を第１の筒状突起部２０の装着溝２０ａ内に押し付けるように構成されている。
【００３０】
この場合、第１の防水部材１２は、図３に示すように、第１の押え部材１４の締め付けによる押え力によって、貫通孔１０の軸方向に圧縮されることにより、その外周部が装着溝２０ａの内周面に圧接すると共に、内周部が軸部１６の外周面に圧接するように構成されている。これにより、第１の防水部材１２は、軸部１６と貫通孔１０との間の防水性を確保して、腕時計ケース１内の気密性を確保するように構成されている。
【００３１】
一方、第２の防水部材１３は、図３に示すように、第１の防水部材１２と同様、弾力を有する合成樹脂によってリング状に形成され、第２の筒状突起部２１の装着溝２１ａに装着されるように構成されている。すなわち、この第２の防水部材１３は、その内径が操作部材１１の軸部１６の外径と同じか、それよりも少し小さく形成されている。これにより、第２の防水部材１３も、その内周部が貫通孔１０内に突出して軸部１６の外周面に圧接し、この状態で軸部１６が摺動するように構成されている。
【００３２】
また、この第２の防水部材１３は、図３に示すように、第１の防水部材１２と同様、その外径が第２の筒状突起部２１の装着溝２１ａの内周面に圧接し、かつ第２の防水部材１３の軸方向の厚みが第２の筒状突起部２１の装着溝２１ａにおける軸方向の長さよりも少し大きく形成されている。これにより、第２の防水部材１３も、第２の筒状突起部２１の装着溝２１ａに装着された際に、軸方向に位置する内側部が装着溝２１ａから腕時計ケース１内に向けて少し突出すように構成されている。
【００３３】
第２の押え部材１５は、図３に示すように、第１の押え部材１４と同様、腕時計ケース１の第２の筒状突起部２１にこれを覆って取り付けられ、この状態で第２の防水部材１３を第２の筒状突起部２１の装着溝２１ａ内に押え付けるように構成されている。すなわち、この第２の押え部材１５も、円筒形のほぼキャップ状に形成され、その側面部の中心に軸部１６が挿入する挿入孔１５ａが設けられた構成になっている。
【００３４】
また、この第２の押え部材１５は、図３に示すように、第１の押え部材１４と同様、その外径が頭部１７の外径と同じか、それよりも少し大きく形成され、内径が第２の筒状突起部２１の外径と同じ大きさに形成されている。また、この第２の押え部材１５は、その内部における軸方向の長さ（深さ）が第２の筒状突起部２１の軸方向の長さよりも少し短い長さで形成されている。
【００３５】
さらに、この第２の押え部材１５も、図３に示すように、第１の押え部材１４と同様、その内周面に雌ねじ部２４が設けられ、この雌ねじ部２４が第２の筒状突起部２１の外周に設けられた雄ねじ部２５に螺合するように構成されている。このため、この第２の押え部材１５も、第２の筒状突起部２１を覆った状態で第２の筒状突起部２１の外周に取り付けられるように構成されている。
【００３６】
これにより、第２の押え部材１５は、図３に示すように、第１の押え部材１４と同様、第２の防水部材１３が第２の筒状突起部２１の装着溝２１ａに装着された状態で、第２の筒状突起部２１に取り付けられた際に、第２の押え部材１５の締め付け力、つまり雄ねじ部２３に対する雌ねじ部２２の締め付け力に応じて、第２の防水部材１３を第２の筒状突起部２１の装着溝２１ａ内に押し付けるように構成されている。
【００３７】
この場合にも、第２の防水部材１３は、図３に示すように、第２の押え部材１５の締め付けによる押え力によって、貫通孔１０の軸方向に圧縮されることにより、その外周部が装着溝２１ａの内周面に圧接すると共に、内周部が軸部１６の外周面に圧接するように構成されている。これにより、第２の防水部材１３も、軸部１６と貫通孔１０との間の防水性を確保して、腕時計ケース１内の気密性を確保するように構成されている。
【００３８】
次に、このような腕時計におけるスイッチ装置３の作用について説明する。
このスイッチ装置３を腕時計ケース１に組み付ける場合には、まず、腕時計ケース１の外部と内部とに第１、第２の防水部材１２、１３を第１、第２の押え部材１４、１５によって取り付ける。
【００３９】
すなわち、腕時計ケース１の外部に突出する第１の筒状突起部２０の装着溝２０ａに第１の防水部材１２を装着し、この状態で第１の筒状突起部２０に第１の押え部材１４を取り付ける。このときには、第１の筒状突起部２０の雄ねじ部２３に第１の押え部材１４の雌ねじ部２２を螺合させて軽く締め付ける。これにより、第１の防水部材１２を第１の筒状突起部２０の装着溝２０ａに軽く押え付ける。
【００４０】
同様に、腕時計ケース１の内部に突出する第２の筒状突起部２１の装着溝２１ａに第２の防水部材１３を装着し、この状態で第２の筒状突起部２１に第２の押え部材１５を取り付ける。このときにも、第２の筒状突起部２１の雄ねじ部２５に第２の押え部材１５の雌ねじ部２４を螺合させて軽く締め付ける。これにより、第２の防水部材１３を第２の筒状突起部２１の装着溝２１ａに軽く押え付ける。
【００４１】
この状態で、腕時計ケース１の上部開口部に時計ガラス４を取り付けると共に、操作部材１１を腕時計ケース１の貫通孔１０に挿入させて取り付ける。このときには、まず、操作部材１１の軸部１６の外周にコイルばね１９を装着する。この状態で、軸部１６の内端部１６ｂを腕時計ケース１の外部に位置する第１押え部材１４の挿入孔１４ａから第１の防水部材１２および貫通孔１０に挿入させると共に、この挿入された軸部１６の内端部１６ｂを貫通孔１０から第２の防水部材１３および第２の押え部材１５の挿入孔１５ａに挿入させて腕時計ケース１内に突出させる。
【００４２】
そして、操作部材１１の頭部１７をコイルばね１９のばね力に抗して押し込み、軸部１６の内端部１６ｂを腕時計ケース１の内部に更に突出させる。この状態で、軸部１６の内端部１６ｂに設けられた取付溝１６ｃに抜止め部材１８を取り付ける。これにより、操作部材１１が腕時計ケース１の貫通孔１０に取り付けられる。この状態では、操作部材１１の頭部１７がコイルばね１９のばね力によって腕時計ケース１の外部に向けて押し出され、抜止め部材１８が腕時計ケース１内の第２の押え部材１５に当接する。
【００４３】
この状態で、第１、第２の押え部材１４、１５による第１、第２の防水部材１２、１３の押え力を調整する。すなわち、第１の押え部材１４を回転させて、第１の筒状突起部２０の雄ねじ部２３に対する第１の押え部材１４の雌ねじ部２２の締め付け力を調整する。これにより、第１の防水部材１２が貫通孔１０の軸方向に圧縮されることにより、第１の防水部材１２の内周部が操作部材１１の軸部１６の外周に最適な状態で圧接されると共に、第１の防水部材１２の外周部が第１の筒状突起部２０の装着溝２０ａの内周面に最適な状態で圧接される。
【００４４】
同様に、第２の押え部材１５を回転させて、第２の筒状突起部２１の雄ねじ部２５に対する第２の押え部材１５の雌ねじ部２４の締め付け力を調整する。これにより、第２の防水部材１３が貫通孔１０の軸方向に圧縮されることにより、第２の防水部材１３の内周部が操作部材１１の軸部１６の外周に最適な状態で圧接されると共に、第２の防水部材１３の外周部が第２の筒状突起部２１の装着溝２１ａの内周面に最適な状態で圧接される。
【００４５】
そして、腕時計ケース１内に時計モジュール６を配置し、この時計モジュール６のスイッチ接点部８の板ばね部８ａを軸部１６の内端部１６ｂに対応させる。この後、腕時計ケース１の下部に裏蓋５を取り付ける。これにより、スイッチ装置３が腕時計ケース１に組み付けられる。
【００４６】
次に、このスイッチ装置３の動作について説明する。
この場合には、まず、操作部材１１の頭部１７をコイルばね１９のばね力に抗して押し込む。すると、操作部材１１の軸部１６が腕時計ケース１の貫通孔１０内をスライドして、軸部１６の内端部１６ｂが腕時計ケース１内に突出する。
【００４７】
これにより、腕時計ケース１内に突出した軸部１６の内端部１６ｂが時計モジュール６のスイッチ接点部８を押圧してスイッチ動作させる。すなわち、このときには、軸部１６の内端部１６ｂがスイッチ接点部８の板ばね部８ａを押圧し、この板ばね部８ａが弾性変形して接点部８ｂに接触する。これにより、スイッチ接点部８がオン状態になる。
【００４８】
また、操作部材１１の頭部１７から外力が取り除かれると、頭部１７がコイルばね１９のばね力によって腕時計ケース１の外部に向けて押し出される。すると、操作部材１１の軸部１６が腕時計ケース１の貫通孔１０内をスライドして、軸部１６の内端部１６ｂがスイッチ接点部８から離れる。これにより、板ばね部８ａが元の形状に弾性復帰して接点部８ｂから離れ、スイッチ接点部８がオフ状態になる。
【００４９】
ところで、軸部１６が貫通孔１０内をスライドする際には、第１、第２の防水部材１２、１３が第１、第２の押え部材１４、１５の押え力によって第１、第２の筒状突起部２０、２１の装着溝２０ａ、２１ａ内に最適な状態で圧接していると共に、操作部材１１の軸部１６の外周面に摺動可能な最適な状態で圧接している。
【００５０】
このため、軸部１６が貫通孔１０内をスライドする際には、軸部１６が第１、第２の防水部材１２、１３内を圧接摺動するので、軸部１６が貫通孔１０内をスライドしても、第１、第２の防水部材１２、１３によって軸部１６と貫通孔１０との間の防水性が確保されると共に、腕時計ケース１内の気密性が確保される。
【００５１】
また、このときには、第１、第２の防水部材１２、１３が腕時計ケース１の貫通孔１０における外端部と内端部とに位置していることにより、第１、第２の防水部材１２、１３の距離が最も離れているので、この最も距離が離れた第１、第２の防水部材１２、１３によって操作部材１１の軸部１６が安定した状態で摺動可能に保持されている。
【００５２】
このため、軸部１６が貫通孔１０内をスライドする際には、軸部１６がその軸方向に対して傾くことがなく、貫通孔１０の中心軸と平行な状態で軸部１６が安定した状態でスライドする。このときには、第１、第２の防水部材１２、１３が軸部１６の外周面に均一に圧接した状態で摺動するため、これによっても第１、第２の防水部材１２、１３によって軸部１６と貫通孔１０との間の防水性が確保されると共に、腕時計ケース１内の気密性が確保される。
【００５３】
このように、この腕時計のスイッチ装置３によれば、腕時計ケース１の貫通孔１０にその内外に突出した状態で挿入された操作部材１１と、腕時計ケース１の外面と内面との両方に配置され、操作部材１１が摺動可能に挿入される第１、第２の防水部材１２、１３と、これら第１、第２の防水部材１２、１３を腕時計ケース１に対して押え付ける第１、第２の押え部材１４、１５と、を備えていることにより、長期間に亘って防水性を確保することができる。
【００５４】
すなわち、この腕時計のスイッチ装置３では、第１、第２の押え部材１４、１５によって第１、第２の防水部材１２、１３を腕時計ケース１に対して押え付けて、操作部材１１に圧接させることができる。このため、操作部材１１のスライド操作に伴って第１、第２の防水部材１２、１３が摩耗しても、その摩耗による第１、第２の防水部材１２、１３の圧接力の低下を抑えることができる。これにより、第１、第２の防水部材１２、１３による防水性の低下を防ぐことができるので、長期間に亘って防水性を確保することができる。
【００５５】
この場合、腕時計ケース１の外面には、第１の防水部材１２を装着する第１の筒状突起部２０が、腕時計ケース１の貫通孔１０に対応した状態で設けられ、この第１の筒状突起部２０にこれを覆って第１の押え部材１４が取り付けられているので、この第１の押え部材１４によって第１の防水部材１２を第１の筒状突起部２０に確実に押え付けることができる。これにより、第１の防水部材１２を操作部材１１の軸部１６に確実にかつ良好に圧接させることができるので、防水性を確保できると共に、腕時計ケース１内の気密性を確保することができる。
【００５６】
すなわち、第１の押え部材１４は、その内周面に設けられた雌ねじ部２２が第１の筒状突起部２０の外周に設けられた雄ねじ部２３に螺合し、その締め付け力によって腕時計ケース１に対する第１の防水部材１２の押え力を調整することにより、第１の防水部材１２を第１の筒状突起部２０の装着溝２０ａ内に最適な状態で圧接させることができると共に、第１の防水部材１２を操作部材１１の軸部１６の外周に最適な状態で摺動可能に圧接させることができる。これにより、防水性を確保することができると共に、腕時計ケース１内の気密性を確保することができる。
【００５７】
また、腕時計ケース１の内面には、第２の防水部材１３を装着する第２の筒状突起部２１が、腕時計ケース１の貫通孔１０に対応した状態で設けられ、この第２の筒状突起部２１にこれを覆って第２の押え部材１５が取り付けられているので、この第２の押え部材１５によって第２の防水部材１３を第２の筒状突起部２１に確実に押え付けることができる。これにより、第２の防水部材１３を操作部材１１の軸部１６に確実にかつ良好に圧接させることができるので、防水性を確保できると共に、腕時計ケース１内の気密性を確保することができる。
【００５８】
すなわち、第２の押え部材１５は、その内周面に設けられた雌ねじ部２４が第２の筒状突起部２１の外周に設けられた雄ねじ部２５に螺合し、その締め付け力によって腕時計ケース１に対する第２の防水部材１３の押え力を調整することにより、第２の防水部材１３を第２の筒状突起部２１の装着溝２１ａ内に最適な状態で圧接させることができると共に、第２の防水部材１３を操作部材１１の軸部１６の外周に最適な状態で摺動可能に圧接させることができる。これにより、防水性を確保することができると共に、腕時計ケース１内の気密性を確保することができる。
【００５９】
また、このスイッチ装置３では、腕時計ケース１の外面に第１の防水部材１２と第１の押え部材１４とが設けられていると共に、腕時計ケース１の内面に第２の防水部材１３と第２の押え部材１５とが設けられていることにより、第１、第２の防水部材１２、１３の距離を最も離すことができる。これにより、この最も距離が離れた状態の第１、第２の防水部材１２、１３によって、操作部材１１の軸部１６を摺動可能に保持することができるので、操作部材１１を安定した状態で良好に保持することができる。
【００６０】
このため、このスイッチ装置３では、操作部材１１が押圧操作されて軸部１６が腕時計ケース１の貫通孔１０内をスライドする際に、軸部１６がその軸方向に対して傾くことがなく、貫通孔１０の中心軸と平行な状態で軸部１６をスライドさせることができる。これにより、第１、第２の防水部材１２、１３を軸部１６の外周面に均一に圧接させた状態で摺動させることができるので、これによっても第１、第２の防水部材１２、１３によって軸部１６と貫通孔１０との間の防水性を確保することができると共に、腕時計ケース１内の気密性を確保することができる。
【００６１】
（第２実施形態）
次に、図４および図５を参照して、この発明を腕時計に適用した第２実施形態について説明する。なお、図１〜図３に示された第１実施形態と同一部分には同一符号を付して説明する。
この腕時計のスイッチ装置３０は、図４および図５に示すように、腕時計ケース１の外面に外側防水部材３１と押え部材３２とを設け、腕時計ケース１の内部側に位置する貫通孔１０内に内側防水部材３６を別に設けた構成であり、これ以外は第１実施形態と同じ構成になっている。
【００６２】
この場合、腕時計ケース１の外面には、図５に示すように、第１実施形態の第１の筒状突起部２０と同様、外側防水部材３１が装着する筒状突起部３３が、腕時計ケース１の貫通孔１０と対応した状態で、腕時計ケース１の外部に向けて突出して設けられている。この筒状突起部３３は、その外径が頭部１７の内径と同じか、それよりも少し大きく形成されている。
【００６３】
また、この筒状突起部３３の外端側に位置する内周部には、図５に示すように、外側防水部材３１が装着する装着溝３３ａが設けられている。この装着溝３３ａは、第１実施形態における第１の筒状突起部２０の装着溝２０ａと同様、環状の切欠き凹部であり、腕時計ケース１の外部および貫通孔１０の内部に開放された状態で設けられている。
【００６４】
外側防水部材３１は、図５に示すように、第１実施形態の第１の防水部材１２と同様、弾力を有する合成樹脂によってリング状に形成され、筒状突起部３３の装着溝３３ａに装着されるように構成されている。すなわち、この外側防水部材３１は、その内径が操作部材１１の軸部１６の外径と同じか、それよりも少し小さく形成されている。これにより、この外側防水部材３１は、その内周部が貫通孔１０内に突出して軸部１６の外周面に圧接し、この状態で軸部１６が摺動するように構成されている。
【００６５】
また、この外側防水部材３１は、図５に示すように、その外径が筒状突起部３３の装着溝３３ａの内周面に圧接し、かつ防水部材３１の軸方向の厚みが筒状突起部３３の装着溝３３ａにおける軸方向の長さよりも少し大きく形成されている。これにより、この外側防水部材３１は、筒状突起部３３の装着溝３３ａに装着された際に、軸方向に位置する外側部が装着溝３３ａから腕時計ケース１の外部に向けて少し突出すように構成されている。
【００６６】
押え部材３２は、図５に示すように、第１実施形態の第１の押え部材１４と同様、腕時計ケース１の筒状突起部３３にこれを覆って取り付けられ、この状態で外側防水部材３１を筒状突起部３３の装着溝３３ａ内に押え付けるように構成されている。すなわち、この押え部材３２は、円筒形のほぼキャップ状に形成され、その側面部の中心に軸部１６が挿入する挿入孔３２ａが設けられた構成になっている。
【００６７】
また、この押え部材３２は、図５に示すように、その外径が頭部１７の外径と同じか、それよりも少し大きく形成され、内径が筒状突起部３３の外径と同じ大きさに形成されている。また、この押え部材３２は、その内部における軸方向の長さ（深さ）が筒状突起部３３の軸方向の長さと同じか、それよりも少し短い長さで形成されている。
【００６８】
さらに、この押え部材３２は、図５に示すように、第１実施形態の第１の押え部材１４と同様、その内周面に雌ねじ部３４が設けられ、この雌ねじ部３４が筒状突起部３３の外周に設けられた雄ねじ部３５に螺合するように構成されている。このため、この押え部材３２は、筒状突起部３３を覆って筒状突起部３３の外周に取り付けられるように構成されている。
【００６９】
これにより、押え部材３２は、図５に示すように、外側防水部材３１が筒状突起部３３の装着溝３３ａに装着された状態で、筒状突起部３３に取り付けられた際に、押え部材３２の締め付け力、つまり雄ねじ部２３に対する雌ねじ部２２の締め付け力に応じて、外側防水部材３１を筒状突起部３３の装着溝３３ａ内に押し付けるように構成されている。
【００７０】
この場合、外側防水部材３１は、図５に示すように、押え部材３２の締め付けによる押え力によって、貫通孔１０の軸方向に圧縮されることにより、その外周部が装着溝３３ａの内周面に圧接すると共に、内周部が軸部１６の外周面に圧接するように構成されている。これにより、外側防水部材３１は、軸部１６と貫通孔１０との間の防水性を確保して、腕時計ケース１内の気密性を確保するように構成されている。
【００７１】
ところで、腕時計ケース１の内部側に位置する操作部材１１の軸部１６と貫通孔１０との間には、図５に示すように、内側防水部材３６が別に設けられている。この内部側に位置する内側防水部材３６は、腕時計ケース１の外面に位置する外側防水部材３１と同様、弾力を有する合成樹脂によってリング状に形成されている。
【００７２】
この内側防水部材３６は、図５に示すように、軸部１６の内端部１６ｂ側に位置する箇所、つまり腕時計ケース１の外面に位置する外側防水部材３１から腕時計ケース１の内部側に向けて離れた箇所に位置する軸部１６の外周面に取り付けられるように構成されている。すなわち、この内側防水部材３６は、軸部１６の内端部１６ｂ側に位置する箇所に設けられた環状溝３６ａ内に装着され、この状態で外周部が貫通孔１０の内周面に圧接して摺動するように構成されている。
【００７３】
この場合、操作部材１１は、図５に示すように、コイルばね１９のばね力によって頭部１７が軸部１６と共に腕時計ケース１の外部に向けて押し出された際に、軸部１６の内端部１６ｂに取り付けられた抜止め部材１８が腕時計ケース１の内面に接離可能に当接することにより、軸部１６が頭部１７と共に腕時計ケース１の外部に抜け出さないように構成されている。
【００７４】
次に、このような腕時計ケース１におけるスイッチ装置３０の作用について説明する。
操作部材１１の頭部１７をコイルばね１９のばね力に抗して押し込むと、第１実施形態と同様、操作部材１１の軸部１６が腕時計ケース１の貫通孔１０内をスライドして、軸部１６の内端部１６ｂが腕時計ケース１内に突出する。
【００７５】
これにより、腕時計ケース１内に突出した軸部１６の内端部１６ｂが時計モジュール６のスイッチ接点部８を押圧してスイッチ動作させる。このときには、第１実施形態と同様、軸部１６の内端部１６ｂがスイッチ接点部８の板ばね部８ａを押圧し、この板ばね部８ａが弾性変形して接点部８ｂに接触する。これにより、スイッチ接点部８がオン状態になる。
【００７６】
また、操作部材１１の頭部１７から外力が取り除かれると、第１実施形態と同様、頭部１７がコイルばね１９のばね力によって腕時計ケース１の外部に向けて押し出される。すると、操作部材１１の軸部１６が腕時計ケース１の貫通孔１０内をスライドして、軸部１６の内端部１６ｂがスイッチ接点部８から離れる。これにより、板ばね部８ａが元の形状に弾性復帰して接点部８ｂから離れ、スイッチ接点部８がオフ状態になる。
【００７７】
ところで、軸部１６が貫通孔１０内をスライドする際には、押え部材３２の押え力によって外側防水部材３１が筒状突起部３３の装着溝３３ａ内に最適な状態で圧接していると共に、操作部材１１の軸部１６の外周面に最適な状態で摺動可能に圧接している。このため、軸部１６が外側防水部材３１内を圧接摺動するので、軸部１６が貫通孔１０内をスライドしても、外側防水部材３１によって軸部１６と貫通孔１０との間の防水性が確保されると共に、腕時計ケース１内の気密性が確保される。
【００７８】
また、このときには、腕時計ケース１の内部側に位置する別の内側防水部材３６が軸部１６の内端部１６ｂ側に位置する箇所の外周面に設けられた環状溝３６ａ内に装着され、この状態で内側防水部材３６の外周部が貫通孔１０の内周面に圧接して摺動するので、軸部１６が貫通孔１０内をスライドしても、この内側防水部材３６によって軸部１６と貫通孔１０との間の防水性が確保されると共に、腕時計ケース１内の気密性が確保される。
【００７９】
この場合、外側防水部材３１が腕時計ケース１の貫通孔１０における外端部に位置し、内側防水部材３６が腕時計ケース１の貫通孔１０における内端部に位置していることにより、外側防水部材３１と内側防水部材３６との距離が大きく離れている。このように距離が大きく離れた外側防水部材３１と内側防水部材３６とによって、操作部材１１の軸部１６が安定した状態で摺動可能に保持されている。
【００８０】
このため、軸部１６が貫通孔１０内をスライドする際には、軸部１６がその軸方向に対して傾くことがなく、貫通孔１０の中心軸と平行な状態で軸部１６が安定した状態でスライドする。このときには、外側防水部材３１と内側防水部材３６とが軸部１６の外周面に均一に圧接した状態で摺動するため、これによっても外側防水部材３１と内側防水部材３６とによって、軸部１６と貫通孔１０との間の防水性が確保されると共に、腕時計ケース１内の気密性が確保される。
【００８１】
このように、この腕時計のスイッチ装置３０によれば、腕時計ケース１の貫通孔１０にその内外に突出した状態で挿入された操作部材１１と、腕時計ケース１の外面に配置され、操作部材１１が摺動可能に挿入される外側防水部材３１と、この外側防水部材３１を腕時計ケース１に対して押え付ける押え部材３２と、を備えていることにより、第１実施形態と同様、長期間に亘って防水性を確保することができる。
【００８２】
すなわち、この腕時計のスイッチ装置３０では、押え部材３２によって外側防水部材３１を腕時計ケース１に対して押え付けて、操作部材１１に圧接させることができる。このため、操作部材１１のスライド操作に伴って外側防水部材３１が摩耗しても、その摩耗による外側防水部材３１の圧接力の低下を抑えることができる。これにより、外側防水部材３１による防水性の低下を防ぐことができるので、長期間に亘って防水性を確保することができる。
【００８３】
この場合、腕時計ケース１の外面には、外側防水部材３１が装着する筒状突起部３３が、腕時計ケース１の貫通孔１０に対応した状態で設けられ、この筒状突起部３３にこれを覆って押え部材３２が取り付けられているので、この押え部材３２によって外側防水部材３１を筒状突起部３３に確実に押え付けることができる。これにより、外側防水部材３１を操作部材１１の軸部１６に確実にかつ良好に圧接させることができるので、防水性を確保することができると共に、腕時計ケース１内の気密性を確保することができる。
【００８４】
すなわち、押え部材３２は、その内周面に設けられた雌ねじ部３４が筒状突起部３３の外周に設けられた雄ねじ部３５に螺合し、その締め付け力によって腕時計ケース１に対する外側防水部材３１の押え力を調整することにより、外側防水部材３１を筒状突起部３３の装着溝３３ａ内に最適な状態で圧接させることができると共に、外側防水部材３１を操作部材１１の軸部１６の外周に最適な状態で摺動可能に圧接させることができる。これにより、防水性を確保することができると共に、腕時計ケース１内の気密性を確保することができる。
【００８５】
また、このスイッチ装置３０では、腕時計ケース１の内面側に位置する操作部材１１の軸部１６の外周面と貫通孔１０の内面との間に内側防水部材３６が別に設けられていることにより、この内側防水部材３６によっても、防水性を確保することができると共に、腕時計ケース１内の気密性を確保することができるほか、外側防水部材３１と内側防水部材３６とによって、操作部材１１の軸部１６を摺動可能な状態で良好に保持することができる。
【００８６】
この場合、外側防水部材３１が腕時計ケース１の貫通孔１０における外端部に位置し、内側防水部材３６が腕時計ケース１の貫通孔１０における内端部側に位置していることにより、外側防水部材３１と内側防水部材３６との距離を大きく離すことができる。これにより、距離が大きく離れた外側防水部材３１と内側防水部材３６とによって、操作部材１１の軸部１６を摺動可能に保持することができるので、操作部材１１を安定した状態で良好に保持することができる。
【００８７】
このため、このスイッチ装置３０においても、操作部材１１が押圧操作されて軸部１６が腕時計ケース１の貫通孔１０内をスライドする際に、軸部１６がその軸方向に対して傾くことがなく、貫通孔１０の中心軸と平行な状態で軸部１６をスライドさせることができる。これにより、外側防水部材３１と内側防水部材３６とを軸部１６の外周面に均一に圧接させた状態で摺動させることができるので、これら外側防水部材３１と内側防水部材３６とによって、軸部１６と貫通孔１０との間の防水性を確保することができると共に、腕時計ケース１内の気密性を確保することができる。
【００８８】
（第３実施形態）
次に、図６および図７を参照して、この発明を腕時計に適用した第３実施形態について説明する。この場合にも、図１〜図３に示された第１実施形態と同一部分には同一符号を付して説明する。
この腕時計のスイッチ装置４０は、図６および図７に示すように、腕時計ケース１の内面に内側防水部材４１と押え部材４２とを設け、腕時計ケース１の外部側に位置する貫通孔１０内に外側防水部材４６を別に設けた構成であり、これ以外は第１実施形態と同じ構成になっている。
【００８９】
この場合、腕時計ケース１の内面には、図７に示すように、第１実施形態の第２の筒状突起部２１と同様、内側防水部材４１が装着する筒状突起部４３が、腕時計ケース１の貫通孔１０と対応した状態で、腕時計ケース１の内部に向けて突出して設けられている。この筒状突起部４３は、その外径が頭部１７の内径と同じか、それよりも少し大きく形成されている。
【００９０】
また、この筒状突起部４３の内端側に位置する内周部には、図７に示すように、内側防水部材４１が装着する装着溝４３ａが設けられている。この装着溝４３ａは、第１実施形態における第２の筒状突起部２１の装着溝２１ａと同様、環状の切欠き凹部であり、腕時計ケース１の内部および貫通孔１０の内部に開放された状態で設けられている。
【００９１】
内側防水部材４１は、図７に示すように、第１実施形態の第２の防水部材１３と同様、弾力を有する合成樹脂によってリング状に形成され、筒状突起部４３の装着溝４３ａに装着されるように構成されている。すなわち、この内側防水部材４１は、その内径が操作部材１１の軸部１６の外径と同じか、それよりも少し小さく形成されている。これにより、この防水部材４１は、その内周部が貫通孔１０内に突出して軸部１６の外周面に圧接し、この状態で軸部１６が摺動するように構成されている。
【００９２】
また、この内側防水部材４１は、図７に示すように、その外径が筒状突起部４３の装着溝４３ａの内周面に圧接し、かつ内側防水部材４１の軸方向の厚みが筒状突起部４３の装着溝４３ａにおける軸方向の長さよりも少し大きく形成されている。これにより、この内側防水部材４１は、筒状突起部４３の装着溝４３ａに装着された際に、軸方向に位置する内側部が装着溝４３ａから腕時計ケース１内に向けて少し突出すように構成されている。
【００９３】
押え部材４２は、図７に示すように、第１実施形態の第２の押え部材１５と同様、腕時計ケース１の筒状突起部４３にこれを覆って取り付けられ、この状態で内側防水部材４１を筒状突起部４３の装着溝４３ａ内に押え付けるように構成されている。すなわち、この押え部材４２は、円筒形のほぼキャップ状に形成され、その側面部の中心に軸部１６が挿入する挿入孔４２ａが設けられた構成になっている。
【００９４】
また、この押え部材４２は、図７に示すように、その外径が頭部１７の外径と同じか、それよりも少し大きく形成され、内径が筒状突起部４３の外径と同じ大きさに形成されている。また、この押え部材４２は、その内部における軸方向の長さ（深さ）が筒状突起部４３の軸方向の長さと同じか、それよりも少し短い長さで形成されている。
【００９５】
さらに、この押え部材４２は、図７に示すように、第１実施形態の第２の押え部材１５と同様、その内周面に雌ねじ部４４が設けられ、この雌ねじ部４４が筒状突起部４３の外周に設けられた雄ねじ部４５に螺合するように構成されている。このため、この押え部材４２は、筒状突起部４３を覆った状態で筒状突起部４３の外周に取り付けられるように構成されている。
【００９６】
これにより、押え部材４２は、図７に示すように、内側防水部材４１が筒状突起部４３の装着溝４３ａに装着された状態で、筒状突起部４３に取り付けられた際に、押え部材４２の締め付け力、つまり雄ねじ部２３に対する雌ねじ部２２の締め付け力に応じて、内側防水部材４１を筒状突起部４３の装着溝４３ａ内に押し付けるように構成されている。
【００９７】
この場合、内側防水部材４１は、図７に示すように、押え部材４２の締め付けによる押え力によって、貫通孔１０の軸方向に圧縮されることにより、その外周部が装着溝４３ａの内周面に圧接すると共に、内周部が軸部１６の外周面に圧接するように構成されている。これにより、内側防水部材４１は、軸部１６と貫通孔１０との間の防水性を確保して、腕時計ケース１内の気密性を確保するように構成されている。
【００９８】
ところで、腕時計ケース１の外部側に位置する操作部材１１の軸部１６と貫通孔１０との間には、図７に示すように、外側防水部材４６が別に設けられている。この外部側に位置する別の外側防水部材４６は、腕時計ケース１の内面に位置する内側防水部材４１と同様、弾力を有する合成樹脂によってリング状に形成されている。
【００９９】
この外側防水部材４６は、図７に示すように、軸部１６の外端部１６ａ側に位置する箇所、つまり腕時計ケース１の内面に位置する内側防水部材４１から腕時計ケース１の外部側に向けて離れた箇所に位置する軸部１６の外周面に取り付けられるように構成されている。すなわち、この外側防水部材４６は、軸部１６の外端部１６ａ側に位置する箇所に設けられた環状溝４６ａ内に装着され、この状態で外周部が貫通孔１０の内周面に圧接して摺動するように構成されている。
【０１００】
次に、このような腕時計ケース１におけるスイッチ装置４０の作用について説明する。
操作部材１１の頭部１７をコイルばね１９のばね力に抗して押し込むと、第１実施形態と同様、操作部材１１の軸部１６が腕時計ケース１の貫通孔１０内をスライドして、軸部１６の内端部１６ｂが腕時計ケース１内に突出する。
【０１０１】
これにより、腕時計ケース１内に突出した軸部１６の内端部１６ｂが時計モジュール６のスイッチ接点部８を押圧してスイッチ動作させる。このときには、第１実施形態と同様、軸部１６の内端部１６ｂがスイッチ接点部８の板ばね部８ａを押圧し、この板ばね部８ａが弾性変形して接点部８ｂに接触する。これにより、スイッチ接点部８がオン状態になる。
【０１０２】
また、操作部材１１の頭部１７から外力が取り除かれると、第１実施形態と同様、頭部１７がコイルばね１９のばね力によって腕時計ケース１の外部に向けて押し出される。すると、操作部材１１の軸部１６が腕時計ケース１の貫通孔１０内をスライドして、軸部１６の内端部１６ｂがスイッチ接点部８から離れる。これにより、板ばね部８ａが元の形状に弾性復帰して接点部８ｂから離れ、スイッチ接点部８がオフ状態になる。
【０１０３】
ところで、軸部１６が貫通孔１０内をスライドする際には、押え部材４２の押え力によって内側防水部材４１が筒状突起部４３の装着溝４３ａ内に最適な状態で圧接していると共に、操作部材１１の軸部１６の外周面に最適な状態で摺動可能に圧接している。このため、軸部１６が内側防水部材４１内を圧接摺動するので、軸部１６が貫通孔１０内をスライドしても、内側防水部材４１によって軸部１６と貫通孔１０との間の防水性が確保されると共に、腕時計ケース１内の気密性が確保される。
【０１０４】
また、このときには、腕時計ケース１の外部側に位置する別の外側防水部材４６が軸部１６の外端部１６ａ側に位置する箇所の外周面に設けられた環状溝４６ａ内に装着され、この状態で外側防水部材４６の外周部が貫通孔１０の内周面に圧接して摺動するので、軸部１６が貫通孔１０内をスライドしても、この外側防水部材４６によって軸部１６と貫通孔１０との間の防水性が確保されると共に、腕時計ケース１内の気密性が確保される。
【０１０５】
この場合、内側防水部材４１が腕時計ケース１の貫通孔１０における内端部に位置し、外部側に位置する別の外側防水部材４６が腕時計ケース１の貫通孔１０における外端部に位置していることにより、内側防水部材４１と外側防水部材４６との距離が大きく離れている。このように距離が大きく離れた内側防水部材４１と外側防水部材４６とによって、操作部材１１の軸部１６が安定した状態で摺動可能に保持されている。
【０１０６】
このため、軸部１６が貫通孔１０内をスライドする際には、軸部１６がその軸方向に対して傾くことがなく、貫通孔１０の中心軸と平行な状態で軸部１６が安定した状態でスライドする。このときには、内側防水部材４１と外側防水部材４６とが軸部１６の外周面に均一に圧接した状態で摺動するため、これによっても内側防水部材４１と外側防水部材４６とによって、軸部１６と貫通孔１０との間の防水性が確保されると共に、腕時計ケース１内の気密性が確保される。
【０１０７】
このように、この腕時計のスイッチ装置４０によれば、腕時計ケース１の貫通孔１０にその内外に突出した状態で挿入された操作部材１１と、腕時計ケース１の内面に配置され、操作部材１１が摺動可能に挿入される内側防水部材４１と、この内側防水部材４１を腕時計ケース１に対して押え付ける押え部材４２と、を備えていることにより、第１実施形態と同様、長期間に亘って防水性を確保することができる。
【０１０８】
すなわち、この腕時計のスイッチ装置４０では、押え部材４２によって内側防水部材４１を腕時計ケース１に対して押え付けて、操作部材１１に圧接させることができる。このため、操作部材１１のスライド操作に伴って内側防水部材４１が摩耗しても、その摩耗による内側防水部材４１の圧接力の低下を抑えることができる。これにより、内側防水部材４１による防水性の低下を防ぐことができるので、長期間に亘って防水性を確保することができる。
【０１０９】
この場合、腕時計ケース１の内面には、内側防水部材４１が装着する筒状突起部４３が、腕時計ケース１の貫通孔１０に対応した状態で設けられ、この筒状突起部４３にこれを覆って押え部材４２が取り付けられているので、この押え部材４２によって内側防水部材４１を筒状突起部４３に確実に押え付けることができる。これにより、内側防水部材４１を操作部材１１の軸部１６に確実にかつ良好に圧接させることができるので、防水性を確保することができると共に、腕時計ケース１内の気密性を確保することができる。
【０１１０】
すなわち、押え部材４２は、その内周面に設けられた雌ねじ部４４が筒状突起部４３の外周に設けられた雄ねじ部４５に螺合し、その締め付け力によって腕時計ケース１に対する内側防水部材４１の押え力を調整することにより、内側防水部材４１を筒状突起部４３の装着溝４３ａ内に最適な状態で圧接させることができると共に、内側防水部材４１を操作部材１１の軸部１６の外周に最適な状態で摺動可能に圧接させることができる。これにより、防水性を確保することができると共に、腕時計ケース１内の気密性を確保することができる。
【０１１１】
また、このスイッチ装置４０では、腕時計ケース１の外面側に位置する操作部材１１の軸部１６の外周面と貫通孔１０の内面との間に外側防水部材４６が別に設けられていることにより、この外部側に位置する外側防水部材４６によっても、防水性を確保することができると共に、腕時計ケース１内の気密性を確保することができるほか、内側防水部材４１と外側防水部材４６とによって、操作部材１１の軸部１６を摺動可能な状態で良好に保持することができる。
【０１１２】
この場合、内側防水部材４１が腕時計ケース１の貫通孔１０における内端部に位置し、外側防水部材４６が腕時計ケース１の貫通孔１０における外端部側に位置していることにより、内側防水部材４１と外側防水部材４６との距離を大きく離すことができる。これにより、距離が大きく離れた内側防水部材４１と外側防水部材４６とによって、操作部材１１の軸部１６を摺動可能に保持することができるので、操作部材１１を安定した状態で良好に保持することができる。
【０１１３】
このため、このスイッチ装置４０においても、操作部材１１が押圧操作されて軸部１６が腕時計ケース１の貫通孔１０内をスライドする際に、軸部１６がその軸方向に対して傾くことがなく、貫通孔１０の中心軸と平行な状態で軸部１６をスライドさせることができる。これにより、内側防水部材４１と外側防水部材４６とを軸部１６の外周面に均一に圧接させた状態で摺動させることができるので、これら内側防水部材４１と外側防水部材４６とによって、軸部１６と貫通孔１０との間の防水性を確保することができると共に、腕時計ケース１内の気密性を確保することができる。
【０１１４】
なお、上述した第１〜第３の実施形態では、操作部材１１の頭部１７をコイルばね１９のばね力で腕時計ケース１の外部に向けて付勢するように構成した場合について述べたが、この発明は必ずしもコイルばね１９を用いる必要はなく、例えばスイッチ接点部８の板ばね部８ａのばね力で操作部材１１の軸部１６を腕時計ケース１の外部に向けて付勢するように構成しても良い。
【０１１５】
また、上述した第１〜第３の実施形態では、押え部材の内周面に雌ねじ部が設けられ、この雌ねじ部が筒状突起部の外周に設けられた雄ねじ部に螺合するように構成されている場合について述べたが、ねじ部の螺合に限らず、例えば押え部材の内周面と筒状突起部の外周とが圧接され、はめ込み固定される構造にしても良い。この場合でも防水部材を確実に押え付けることができ防水性を確保することができると共に、腕時計ケース内の気密性を確保することができる。
【０１１６】
また、上述した第１〜第３の実施形態では、腕時計に適用した場合について述べたが、必ずしも腕時計である必要はなく、例えばトラベルウオッチ、目覚まし時計、置き時計、掛け時計などの各種の時計に適用することができる。また、この発明は、必ずしも時計である必要はなく、例えば携帯電話機や携帯情報端末機などの電子機器に広く適用することができる。
【０１１７】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【０１１８】
（付記）
請求項１に記載の発明は、貫通孔を有するケースと、前記ケースの前記貫通孔にその内外に突出した状態で挿入された操作部材と、前記ケースの外面と内面との少なくとも一方に配置され、前記操作部材が摺動可能に挿入される防水部材と、前記防水部材を前記ケースに対して押え付ける押え部材と、を備えていることを特徴とするスイッチ装置である。
【０１１９】
請求項２に記載の発明は、請求項１に記載のスイッチ装置において、前記ケースの外面と内面との少なくとも一方には、前記防水部材が装着される筒状突起部が、前記ケースの前記貫通孔に対応した状態で設けられ、前記筒状突起部には、これを覆って前記押え部材が取り付けられていることを特徴とするスイッチ装置である。
【０１２０】
請求項３に記載の発明は、請求項２に記載のスイッチ装置において、前記押え部材は、その内周面に設けられた雌ねじ部が前記筒状突起部の外周に設けられた雄ねじ部に螺合し、前記雄ねじ部に対する前記雌ねじ部の締め付け力によって前記ケースに対する前記防水部材の押え力を調整することを特徴とするスイッチ装置である。
【０１２１】
請求項４に記載の発明は、請求項１〜請求項３のいずれかに記載のスイッチ装置において、前記防水部材と前記押え部材とは、前記ケースの外面と内面との両方にそれぞれ設けられていることを特徴とするスイッチ装置である。
【０１２２】
請求項５に記載の発明は、請求項１〜請求項３のいずれかに記載のスイッチ装置において、前記防水部材と前記押え部材とは、前記ケースの外面のみに設けられていることを特徴とするスイッチ装置である。
【０１２３】
請求項６に記載の発明は、請求項５に記載のスイッチ装置において、前記ケースの内面側に位置する前記操作部材の外周面と前記貫通孔の内面との間には、内側の防水部材が別に設けられていることを特徴とするスイッチ装置である。
【０１２４】
請求項７に記載の発明は、請求項１〜請求項３のいずれかに記載のスイッチ装置において、前記防水部材と前記押え部材とは、前記ケースの内面のみに設けられていることを特徴とするスイッチ装置である。
【０１２５】
請求項８に記載の発明は、請求項７に記載のスイッチ装置において、前記ケースの外面側に位置する前記操作部材の外周面と前記貫通孔の内面との間には、外側の防水部材が別に設けられていることを特徴とするスイッチ装置である。
【０１２６】
請求項９に記載の発明は、請求項１〜請求項８のいずれかに記載されたスイッチ装置を備えていることを特徴とする時計である。
【符号の説明】
【０１２７】
１  腕時計ケース
３、３０、４０  スイッチ装置
６  時計モジュール
８  スイッチ接点部
１０  貫通孔
１１  操作部材
１２、１３  第１、第２の防水部材
１４、１５  第１、第２の押え部材
１６  軸部
１７  頭部
１８  抜止め部材
１９  コイルばね
２０、２１  第１、第２の筒状突起部
２０ａ、２１ａ  装着溝
２２、２４、３４、４４  雌ねじ部
２３、２５、３５、４５  雄ねじ部
３１、４６  外側防水部材
３２、４２  押え部材
３３、４３  筒状突起部
３３ａ、４３ａ  装着溝
３６、４１  内側防水部材
【図１】
0006579484.tif 000002
【図２】
0006579484.tif 000003
【図３】
0006579484.tif 000004
【図４】
0006579484.tif 000005
【図５】
0006579484.tif 000006
【図６】
0006579484.tif 000007
【図７】
0006579484.tif 000008